(57)【要約】      （修正有）【課題】音響機器に設定される音響パラメータを容易に変更することが可能な音響パラメータ変更装置および音響パラメータ変更プログラムを提供する。【解決手段】記憶部１１は、キットデータ毎に変更対象パラメータを記憶する。選択部１２は、変更すべき変更対象パラメータを含むキットデータを選択する。操作検出部１３は、選択部１２により選択されたキットデータに含まれる変更対象パラメータを変更すべき指示を検出する。接続判定部１５は、音響パラメータ変更装置１と電子楽器とが接続されているか否かを判定する。音響パラメータ変更装置１が電子楽器に接続されている状態で、受信部１６は、電子楽器から送信される音響パラメータを受信し、送信部１７は、変更後の変更対象パラメータを電子楽器に送信する。要求部１８は、電子楽器に対して、特定のキットデータに含まれる音響パラメータの送信を要求する。【選択図】図５
2016118626.tif 000002
【特許請求の範囲】
【請求項１】
音響機器に設定される音響パラメータを変更するための音響パラメータ変更装置であって、
前記音響パラメータは、当該音響パラメータ変更装置および前記音響機器の各々において変更可能な第１の音響パラメータと、当該音響パラメータ変更装置において変更不能でかつ前記音響機器において変更可能な第２の音響パラメータとを含み、
複数の第１の音響パラメータおよび複数の第２の音響パラメータをそれぞれ含む少なくとも１つの音楽コンテンツデータが前記音響機器に記憶され、
音楽コンテンツデータ毎に複数の第１の音響パラメータを記憶する記憶手段と、
音楽コンテンツデータを選択する選択手段と、
選択された音楽コンテンツデータに含まれるいずれかの第１の音響パラメータを変更すべき指示が検出された場合、前記記憶手段に記憶された該当する第１の音響パラメータを変更する変更手段と、
当該音響パラメータ変更装置と前記音響機器とが接続されているか否かを判定する接続判定手段と、
当該音響パラメータ変更装置と前記音響機器とが接続されていると判定された場合、変更後の第１の音響パラメータを前記音響機器に送信する送信手段とを備える、音響パラメータ変更装置。
【請求項２】
少なくとも１つの音楽コンテンツデータに含まれる複数の第１の音響パラメータが前記音響機器から送信され、
当該音響パラメータ変更装置は、
前記接続判定手段により当該音響パラメータ変更装置と前記音響機器とが接続されていると判定された場合、前記音響機器から送信される複数の第１の音響パラメータを受信する受信手段をさらに備え、
前記記憶手段は、受信される複数の第１の音響パラメータを記憶する、請求項１記載の音響パラメータ変更装置。
【請求項３】
前記接続判定手段により当該音響パラメータ変更装置と前記音響機器とが接続されていると判定された場合、前記音響機器に対して、特定の音楽コンテンツデータに含まれる複数の第１の音響パラメータの送信を要求する要求手段をさらに備え、
前記受信手段は、前記要求に応答して前記音響機器から送信される複数の第１の音響パラメータを受信する、請求項２記載の音響パラメータ変更装置。
【請求項４】
前記送信手段は、前記接続判定手段により当該音響パラメータ変更装置と前記音響機器とが接続されていると判定された場合、いずれかの音楽コンテンツデータに含まれる第１の音響パラメータが前記変更手段により変更されたときに、変更後の第１の音響パラメータを該当する音楽コンテンツデータの識別情報とともに前記音響機器に送信する、請求項１〜３のいずれか一項に記載の音響パラメータ変更装置。
【請求項５】
音響機器に設定される音響パラメータを変更するための音響パラメータ変更装置に用いられる音響パラメータ変更プログラムであって、
前記音響パラメータは、前記音響パラメータ変更装置および前記音響機器の各々において変更可能な第１の音響パラメータと、前記音響パラメータ変更装置において変更不能でかつ前記音響機器において変更可能な第２の音響パラメータとを含み、
複数の第１の音響パラメータおよび複数の第２の音響パラメータをそれぞれ含む少なくとも１つの音楽コンテンツデータが前記音響機器に記憶され、
音楽コンテンツデータ毎に複数の第１の音響パラメータを記憶するステップと、
音楽コンテンツデータを選択するステップと、
選択された音楽コンテンツデータに含まれるいずれかの第１の音響パラメータを変更すべき指示が検出された場合、記憶された該当する第１の音響パラメータを変更するステップと、
前記音響パラメータ変更装置と前記音響機器とが接続されているか否かを判定するステップと、
当該音響パラメータ変更装置と前記音響機器とが接続されていると判定された場合、変更後の第１の音響パラメータを前記音響機器に送信するステップとを、コンピュータに実行させる、音響パラメータ変更プログラム。
【発明の詳細な説明】
【技術分野】
【０００１】
本発明は、音響パラメータを変更するための音響パラメータ変更装置および音響パラメータ変更プログラムに関する。
【背景技術】
【０００２】
電子楽器等の音響機器においては、ロータリエンコーダおよびスイッチ等の種々の操作子を操作することにより、音色およびエフェクト等の音響パラメータを調整することができる。また、特許文献１には、汎用パーソナルコンピュータシステムにより、音色の選択および他の種々のパラメータの調整を行う技術が開示されている。
【先行技術文献】
【特許文献】
【０００３】
【特許文献１】特開平１１−２９６１７２号公報
【発明の概要】
【発明が解決しようとする課題】
【０００４】
多種多様な音響パラメータを調整可能な音響機器がある。しかしながら、音響機器についての知識が乏しいユーザにとって、そのような多種多様な音響パラメータを理解することは難しい。また、通常の音響機器に設けられる表示部は比較的小さいので、同時に表示可能な情報量が限られる。そのため、簡単な調整を行う場合でも、調整すべき音響パラメータを見つけることが難しい。一方、特許文献１に記載されるように、パーソナルコンピュータ等が用いられる場合には、比較的大きいディスプレイに多くの情報を同時に表示することができるが、与えられる多くの情報の中から、調整すべき音響パラメータを特定し、所望の調整を行うことは、容易でない。
【０００５】
本発明の目的は、音響機器に設定される音響パラメータを容易に変更することが可能な音響パラメータ変更装置および音響パラメータ変更プログラムを提供することである。
【課題を解決するための手段】
【０００６】
本発明に係る音響パラメータ変更装置は、音響機器に設定される音響パラメータを変更するための音響パラメータ変更装置であって、音響パラメータは、音響パラメータ変更装置および音響機器の各々において変更可能な第１の音響パラメータと、音響パラメータ変更装置において変更不能でかつ音響機器において変更可能な第２の音響パラメータとを含み、複数の第１の音響パラメータおよび複数の第２の音響パラメータをそれぞれ含む少なくとも１つの音楽コンテンツデータが音響機器に記憶され、音響パラメータ変更装置は、音楽コンテンツデータ毎に複数の第１の音響パラメータを記憶する記憶手段と、音楽コンテンツデータを選択する選択手段と、選択された音楽コンテンツデータに含まれるいずれかの第１の音響パラメータを変更すべき指示が検出された場合、記憶手段に記憶された該当する第１の音響パラメータを変更する変更手段と、音響パラメータ変更装置と音響機器とが接続されているか否かを判定する接続判定手段と、音響パラメータ変更装置と音響機器とが接続されていると判定された場合、変更後の第１の音響パラメータを音響機器に送信する送信手段とを備える。
【０００７】
本発明に係る音響パラメータ変更プログラムは、音響機器に設定される音響パラメータを変更するための音響パラメータ変更装置に用いられる音響パラメータ変更プログラムであって、音響パラメータは、音響パラメータ変更装置および音響機器の各々において変更可能な第１の音響パラメータと、音響パラメータ変更装置において変更不能でかつ音響機器において変更可能な第２の音響パラメータとを含み、複数の第１の音響パラメータおよび複数の第２の音響パラメータをそれぞれ含む少なくとも１つの音楽コンテンツデータが音響機器に記憶され、音響パラメータ変更プログラムは、音楽コンテンツデータ毎に複数の第１の音響パラメータを記憶するステップと、音楽コンテンツデータを選択するステップと、選択された音楽コンテンツデータに含まれるいずれかの第１の音響パラメータを変更すべき指示が検出された場合、記憶された該当する第１の音響パラメータを変更するステップと、音響パラメータ変更装置と音響機器とが接続されているか否かを判定するステップと、音響パラメータ変更装置と音響機器とが接続されていると判定された場合、変更後の第１の音響パラメータを音響機器に送信するステップとを、コンピュータに実行させる。
【０００８】
音響パラメータ変更装置においては、選択された音楽コンテンツデータに含まれるいずれかの第１の音響パラメータを変更すべき指示が検出されると、記憶手段に記憶された該当する第１の音響パラメータが変更される。また、音響パラメータ変更装置と音響機器とが接続されている場合に、変更後の第１の音響パラメータが音響機器に送信される。それにより、変更後の第１の音響パラメータに基づいて、音響機器に記憶される音楽コンテンツデータの第１の音響パラメータを変更することができる。したがって、ユーザは、音響パラメータ変更装置を用いて、音響機器に記憶される各音楽コンテンツデータの第１の音響パラメータを変更することができる。
【０００９】
また、音響パラメータ変更装置においては、音響機器において変更可能な第１および第２の音響パラメータのうち、第１の音響パラメータのみが変更可能である。この場合、ユーザは、第２の音響パラメータを意識する必要がないので、音響パラメータに関する種々の知識および煩雑な操作を要することなく、音響機器に設定される音響パラメータを容易に変更することができる。
【００１０】
少なくとも１つの音楽コンテンツデータに含まれる複数の第１の音響パラメータが音響機器から送信され、音響パラメータ変更装置は、接続判定手段により音響パラメータ変更装置と音響機器とが接続されていると判定された場合、音響機器から送信される複数の第１の音響パラメータを受信する受信手段をさらに備え、記憶手段は、受信される複数の第１の音響パラメータを記憶してもよい。この場合、音響機器に記憶される音楽コンテンツデータの第１の音響パラメータを音響パラメータ変更装置に容易に記憶させることができる。
【００１１】
音響パラメータ変更装置は、接続判定手段により音響パラメータ変更装置と音響機器とが接続されていると判定された場合、音響機器に対して、特定の音楽コンテンツデータに含まれる複数の第１の音響パラメータの送信を要求する要求手段をさらに備え、受信手段は、要求に応答して音響機器から送信される複数の第１の音響パラメータを受信してもよい。この場合、音響機器に記憶される特定の音楽コンテンツデータの第１の音響パラメータを任意の時点で音響パラメータ装置に記憶させることができる。
【００１２】
送信手段は、接続判定手段により音響パラメータ変更装置と音響機器とが接続されていると判定された場合、いずれかの音楽コンテンツデータに含まれる第１の音響パラメータが変更手段により変更されたときに、変更後の第１の音響パラメータを該当する音楽コンテンツデータの識別情報とともに音響機器に送信してもよい。この場合、音響パラメータ変更装置において第１の音響パラメータが変更されたときに、リアルタイムで音響機器に記憶される第１のパラメータを変更することができる。また、第１の音響パラメータとともに音楽コンテンツデータの識別情報が音響パラメータ変更装置から送信されるので、音響機器において該当の音楽コンテンツデータを容易に特定することができる。
【００１３】
音響機器は、複数の操作子を有する電子楽器であり、第１の音響パラメータは、複数の操作子の各々に対して設定される。
【発明の効果】
【００１４】
本発明によれば、音響機器に設定される音響パラメータを容易に変更することが可能となる。
【図面の簡単な説明】
【００１５】
【図１】音響パラメータ変更装置および電子楽器の模式図である。
【図２】音響パラメータ変更装置および電子楽器のハードウエア構成の一例を示すブロック図である。
【図３】キットデータに含まれる変更対象パラメータの一例を示す図である。
【図４】パラメータ変更画面の一例を示す図である。
【図５】音響パラメータ変更装置の機能的な構成を示すブロック図である。
【図６】電子楽器側のパラメータ更新処理を示すフローチャートである。
【図７】電子楽器側のパラメータ更新処理を示すフローチャートである。
【図８】記憶処理を示すフローチャートである。
【図９】編集処理を示すフローチャートである。
【図１０】パラメータ変更画面の他の例を示す図である。
【発明を実施するための形態】
【００１６】
以下、本発明の実施の形態に係る音響パラメータ変更装置および音響パラメータ変更プログラムについて図面を用いて詳細に説明する。
【００１７】
（１）音響パラメータ変更装置および電子楽器
図１は、音響パラメータ変更装置および電子楽器の模式図である。図１に示すように、音響パラメータ変更装置１は、電子楽器２と接続可能に設けられる。音響パラメータ変更装置１は、例えば、パーソナルコンピュータ、スマートフォンまたはタブレット端末である。電子楽器２は、音響装置の一例である。図１の電子楽器２は電子ドラムであり、複数（本例では、１２個）のパッドＰＤを含む。ユーザは、スティックまたは手で複数のパッドＰＤを叩いて演奏を行う。また、電子楽器２は、設定操作子２０２および表示部２０３を含む。設定操作子２０２および表示部２０３については後述する。
【００１８】
音響パラメータ変更装置１は、電子楽器２に設定される音響パラメータを変更するために用いられる。音響パラメータは、音に関する種々のパラメータであり、音響パラメータ変更装置１および電子楽器２の各々により変更可能な変更対象パラメータ、および音響パラメータ変更装置１により変更不能でかつ電子楽器２により変更可能な変更対象外パラメータを含む。変更対象パラメータは、例えば、音色を表すパラメータ（以下、音色パラメータと呼ぶ。）、音量を表すパラメータ（以下、音量パラメータと呼ぶ。）、またはパン（音が発せられる位置）を表すパラメータ（以下、パンパラメータと呼ぶ。）を含む。変更対象外パラメータは、例えば、ディストーション、リバーブまたはフィルター等の音のエフェクトに関する種々のパラメータ（以下、エフェクトパラメータと呼ぶ。）を含む。
【００１９】
図２は、音響パラメータ変更装置１および電子楽器２のハードウエア構成の一例を示すブロック図である。図２の音響パラメータ変更装置１は、スマートフォンまたはタブレット端末等のスマートデバイス（smart device）であり、タッチパネルディスプレイ１０１、検出回路１０２および表示回路１０３を備える。タッチパネルディスプレイ１０１は、検出回路１０２および表示回路１０３を介してバス１００に接続される。タッチパネルディスプレイ１０１に種々の情報が表示される。ユーザは、タッチパネルディスプレイ１０１を操作することにより種々の動作を指示することができる。
【００２０】
音響パラメータ変更装置１は、ＲＡＭ（ランダムアクセスメモリ）１１１、ＲＯＭ（リードオンリメモリ）１１２、ＣＰＵ（中央演算処理装置）１１３、記憶装置１１４および通信Ｉ／Ｆ（インターフェース）１１５をさらに備える。ＲＡＭ１１１、ＲＯＭ１１２、ＣＰＵ１１３、記憶装置１１４および通信Ｉ／Ｆ１１５はそれぞれバス１００に接続される。ＲＡＭ１１１は、例えば揮発性メモリからなり、ＣＰＵ１１３の作業領域として用いられるとともに、種々のデータを一時的に記憶する。ＲＯＭ１１２は、例えば不揮発性メモリからなり、システムプログラムおよび音響パラメータ変更プログラム等のコンピュータプログラムを記憶する。ＣＰＵ１１３は、ＲＯＭ１１２に記憶された音響パラメータ変更プログラムをＲＡＭ１１１上で実行することにより後述する音響パラメータ変更処理を行う。
【００２１】
記憶装置１１４は、ハードディスク、光学ディスク、磁気ディスクまたはメモリカード等の記憶媒体を含む。この記憶装置１１４には、電子楽器２に設定される音響パラメータが記憶される。また、上記の音響パラメータ変更プログラムが記憶装置１１４に記憶されてもよい。通信Ｉ／Ｆ１１５は、電子楽器２に接続される。通信Ｉ／Ｆ１１５を介して、電子楽器２に対する種々のデータの送受信が行われる。また、通信Ｉ／Ｆが通信網に接続されてもよい。
【００２２】
なお、音響パラメータ変更プログラムは、コンピュータが読み取り可能な記録媒体に格納された形態で提供され、ＲＯＭ１１２または記憶装置１１４にインストールされてもよい。また、通信Ｉ／Ｆ１１５が通信網に接続されている場合、通信網に接続されたサーバから配信された音響パラメータ変更プログラムがＲＯＭ１１２または記憶装置１１４にインストールされてもよい。
【００２３】
電子楽器２は、演奏操作子２０１、設定操作子２０２、表示部２０３、検出回路２０４，２０５および表示回路２０６を備える。演奏操作子２０１は、図１の複数のパッドＰＤを含み、検出回路２０４を介してバス２００に接続される。設定操作子２０２は、オンオフ操作されるスイッチ、回転操作されるロータリエンコーダ、またはスライド操作されるリニアエンコーダ等を含み、検出回路２０５を介してバス２００に接続される。この設定操作子２０２は、電源のオンオフおよび音響パラメータの変更等を行うために用いられる。表示部２０３は、表示回路２０６を介してバス２００に接続される。表示部２０３には、種々の音響パラメータが表示される。
【００２４】
電子楽器２は、ＲＡＭ２１１、ＲＯＭ２１２、ＣＰＵ２１３、記憶装置２１４および通信Ｉ／Ｆ２１５をさらに備える。ＲＡＭ２１１、ＲＯＭ２１２、ＣＰＵ２１３、記憶装置２１４および通信Ｉ／Ｆ２１５はそれぞれバス２００に接続される。ＲＡＭ２１１は、例えば揮発性メモリからなり、ＣＰＵ２１３の作業領域として用いられるとともに、種々のデータを一時的に記憶する。ＲＯＭ２１２は、例えば不揮発性メモリからなり、システムプログラムおよび音響パラメータ更新プログラム等のコンピュータプログラムを記憶する。ＣＰＵ２１３は、ＲＯＭ２１２に記憶された音響パラメータ更新プログラムをＲＡＭ２１１上で実行することにより後述する音響パラメータ更新処理を行う。
【００２５】
記憶装置２１４は、ハードディスク、光学ディスク、磁気ディスクまたはメモリカード等の記憶媒体を含む。この記憶装置２１４には、種々の音響パラメータが記憶される。上記の音響パラメータ更新プログラムが記憶装置２１４に記憶されてもよい。通信Ｉ／Ｆ２１５は、音響パラメータ変更装置１に接続される。通信Ｉ／Ｆ２１５を介して、音響パラメータ変更装置１に対する音響パラメータの送受信が行われる。また、通信Ｉ／Ｆ２１５が通信網に接続されてもよい。
【００２６】
電子楽器２は、音源２２１、効果回路２２２およびサウンドシステム２２３をさらに備える。音源２２１および効果回路２２２はバス２００に接続され、サウンドシステム２２３は効果回路２２２に接続される。音源２２１は、演奏操作子２０１の操作および記憶装置２１４に記憶される音響パラメータ（主に、音色パラメータ）に基づいて楽音信号を生成する。効果回路２２２は、記憶装置２１４に記憶される音響パラメータ（主に、エフェクトパラメータ）に基づいて、音源２２１により生成される楽音信号に音響効果を付与する。なお、効果回路２２２が、音響パラメータを記憶する複数のレジスタを含んでもよい。サウンドシステム２２３は、デジタルアナログ（Ｄ／Ａ）変換回路、増幅器およびスピーカを含む。このサウンドシステム２２３は、音源２２１から効果回路２２２を通して与えられる楽音信号をアナログ音信号に変換し、アナログ音信号に基づく音を発生する。
【００２７】
（２）変更対象パラメータの変更
電子楽器２の各パッドＰＤには、種々の音響パラメータが設定される。各パッドＰＤが操作される（叩かれる）と、そのパッドＰＤに設定された種々の音響パラメータに基づいて、サウンドシステム２２３から音が発生される。以下、複数のパッドＰＤに対して設定される種々の音響パラメータの組み合わせをキットデータと呼ぶ。各キットデータは、複数の変更対象パラメータおよび複数の変更対象外パラメータを含む音楽コンテンツデータである。また、各キットデータは、他のキットデータとの識別のための識別情報を含む。電子楽器２の記憶装置２１４には複数のキットデータが記憶され、ユーザは、複数のキットデータから１つのキットデータを選択することにより、複数のパッドＰＤに音響パラメータを容易に設定することができる。
【００２８】
音響パラメータ変更装置１の記憶装置１１４には、少なくとも１つのキットデータに含まれる音響パラメータおよび識別情報が記憶される。この場合、音響パラメータとして、変更対象パラメータのみが記憶されてもよく、変更対象パラメータおよび変更対象外パラメータの両方が記憶されてもよい。ユーザは、記憶装置１１４に記憶される変更対象パラメータを変更することによって各キットデータを編集することができる。音響パラメータ変更装置１におけるキットデータの編集は、音響パラメータ変更装置１が電子楽器２に接続されている場合および接続されていない場合のいずれにおいても行うことができる。
【００２９】
図３は、キットデータに含まれる変更対象パラメータの一例を示す図である。図３のキットデータは、識別情報として、番号“０１０”および名称“HardRock”を含む。電子楽器２の複数のパッドＰＤには、“１”〜“１２”の番号が付される。各パッドＰＤには、変更対象パラメータとして、音色パラメータ、音量パラメータおよびパンパラメータが設定される。各音色パラメータは、カテゴリー、そのカテゴリー内で設定される番号、および名称を含む。音量パラメータは、“０”〜“１２７”の数値を含む。パンパラメータは、“Ｌ６３〜Ｃ〜Ｒ６３”で表され、“Ｃ”、“Ｌ”および“Ｒ”は中心、左および右をそれぞれ意味し、数値は中心からのずれの程度を表す。図３の例では、１つのパッドＰＤに１つの音色パラメータが設定されるが、１つのパッドＰＤに複数の音色パラメータが設定され、その各々に対応するように音量パラメータおよびパンパラメータが設定されてもよい。また、音色パラメータは、数値のみで表されてもよい。
【００３０】
図２のタッチパネルディスプレイ１０１には、記憶装置１１４に記憶される変更対象パラメータおよび識別情報に基づいて、パラメータ変更画面が表示される。図４は、パラメータ変更画面の一例を示す図である。図４のパラメータ変更画面３０は、複数のパッドＰＤをそれぞれ表す複数のパッド画像３１Ａ〜３１Ｌを含む。各パッドＰＤに設定される音色パラメータ（本例では、音色の名称）が、対応するパッド画像上に表示される。また、対応するキットデータの識別情報（本例では、番号および名称）が画面上部に表示される。図４のパラメータ変更画面３０は、図３のキットデータに対応する。
【００３１】
ユーザは、タッチパネルディスプレイ１０１を操作することにより、表示される音色パラメータを変更することができる。例えば、ユーザがパッド画像３１Ａ〜３１Ｌのいずれかをタップすると、音色の一覧が表示され、ユーザは、その一覧から１つの音色を選択してタップする。これにより、タップされたパッド画像上の音色パラメータ、および記憶装置１１４に記憶される該当のパッドに設定された音色パラメータが、選択された音色パラメータに変更される。音色の一覧の代わりに、音色切替ボタン等の操作子がタッチパネルディスプレイ１０１に表示されてもよい。
【００３２】
音色パラメータと同様に、音量パラメータまたはパンパラメータ等の他の変更対象パラメータが変更可能であってもよい。また、音色および音量等の複数種類の変更対象パラメータが共通のパラメータ変更画面上で変更可能であってもよく、変更対象パラメータの種類毎にパラメータ変更画面が表示されてもよい。あるいは、複数のキットデータを選択可能であり、選択された複数のキットデータに含まれる変更対象パラメータを変更可能なパラメータ変更画面が表示されてもよい。
【００３３】
また、音響パラメータ変更装置１が、ソフトウェア音源を搭載する等によって単独で音を再生可能である場合、電子楽器２から離れた位置においても、ユーザは、簡易的に再生音を確認しながら音響パラメータ変更装置１によりキットデータを編集することができる。
【００３４】
なお、図３および図４の例では、各パッドＰＤに対して音色が割り当てられるが、音色の代わりに、リズムパターンまたはソングデータ等が割り当てられてもよい。この場合、変更対象パラメータが、リズムパターンまたはソングデータを表すパラメータを含む。
【００３５】
音響パラメータ変更装置１が有線または無線で電子楽器２に接続されている場合、少なくとも１つのキットデータに含まれる音響パラメータおよび識別データが、電子楽器２から音響パラメータ変更装置１に編集データとして送信される。編集データは、音響パラメータとして変更対象パラメータを含むが、さらに変更対象外パラメータを含んでもよい。例えば、図２の電子楽器２において、設定操作子２０２の操作によりキットデータが選択されると、選択されたキットデータに含まれる音響パラメータおよび識別情報が編集データとして電子楽器２から音響パラメータ変更装置１に送信される。また、音響パラメータ変更装置１から電子楽器２に、音響パラメータの送信を要求するための要求信号が送信されてもよい。電子楽器２は、音響パラメータ変更装置１からの要求信号を受信すると、その時点で選択されているキットデータに含まれる音響パラメータおよび識別情報を編集データとして音響パラメータ変更装置１に送信する。
【００３６】
また、音響パラメータ変更装置１が電子楽器２に接続されている場合、少なくとも１つのキットデータに含まれる音響パラメータおよび識別データが、音響パラメータ変更装置１から電子楽器２に更新データとして送信される。例えば、図２の音響パラメータ変更装置１において音響パラメータが変更された場合、変更後の音響パラメータおよびその音響パラメータを含むキットデータの識別情報が、更新データとして音響パラメータ変更装置１から電子楽器２に送信される。この場合、電子楽器２の記憶装置２１４に記憶される該当のキットデータに含まれる音響パラメータが、更新データに含まれる音響パラメータに変更される。
【００３７】
電子楽器２がＭＩＤＩ（Musical Instrument Digital Interface）規格に準拠する場合、音響パラメータ変更装置１と電子楽器２との間において、音色パラメータは、例えば“プログラム・チェンジ”メッセージで送受信され、音量パラメータおよびパンパラメータ等は、例えば“コントロール・チェンジ”メッセージで送受信される。また、音響パラメータ変更装置１と電子楽器２との間において、１または複数のキットデータに含まれる全ての音響パラメータがバルクダンプとして一括で送受信されてもよく、各音響パラメータが個別に送受信されてもよい。
【００３８】
（３）音響パラメータ変更装置の機能的な構成
図５は、音響パラメータ変更装置１の機能的な構成を示すブロック図である。図５に示すように、音響パラメータ変更装置１は、記憶部１１、選択部１２、操作検出部１３、変更部１４、接続判定部１５、受信部１６、送信部１７および要求部１８を含む。図２のＣＰＵ１１３がコンピュータプログラムを実行することにより、図５の各構成要素の機能が実現される。
【００３９】
記憶部１１は、キットデータ毎に変更対象パラメータを記憶する。選択部１２は、変更すべき変更対象パラメータを含むキットデータを選択する。操作検出部１３は、選択部１２により選択されたキットデータに含まれる変更対象パラメータを変更すべき指示を検出する。本例では、タッチパネルディスプレイ１０１上におけるパラメータ変更画面の操作が操作検出部１３により検出される。変更部１４は、操作検出部１３により変更対象パラメータを変更すべき指示が検出された場合、記憶部１１に記憶された該当の変更対象パラメータを変更する。
【００４０】
接続判定部１５は、音響パラメータ変更装置１と電子楽器２とが接続されているか否かを判定する。受信部１６は、音響パラメータ変更装置１が電子楽器２に接続されている場合に、電子楽器２から送信される音響パラメータを識別情報とともに受信し、かつ所定の時間間隔（例えば、２００ｍｓ間隔）で電子楽器２からのアクティブセンシングを受信する。送信部１７は、音響パラメータ変更装置１が電子楽器２に接続されている場合に、変更後の音響パラメータを識別情報とともに電子楽器２に送信する。要求部１８は、電子楽器２に対して、特定のキットデータに含まれる音響パラメータの送信を要求する。
【００４１】
（４）音響パラメータ更新処理
図２の電子楽器２において、ＣＰＵ２１３がＲＯＭ２１２または記憶装置２１４に記憶される音響パラメータ更新プログラムを実行することにより音響パラメータ更新処理が行われる。図６は、パラメータ更新処理を示すフローチャートである。まず、ＣＰＵ２１３は、電子楽器２の電源がオフされているいか否かを判定する（ステップＳ１）。電源がオフされていない場合、ＣＰＵ２１３は、キットデータを選択するための操作が検出回路２０５によって検出されたか否かを判定する（ステップＳ２）。キットデータを選択するための操作が検出されない場合、ＣＰＵ２１３は、ステップＳ６に進む。キットデータを選択するための操作が検出された場合、ＣＰＵ２１３は、選択されたキットデータに含まれる音響パラメータを記憶装置２１４から読み出す（ステップＳ３）。この場合、読み出された音響パラメータが表示部２０３に表示されてもよい。
【００４２】
次に、ＣＰＵ２１３は、通信Ｉ／Ｆ２１５が音響パラメータ変更装置１に接続されているか否かを判定する（ステップＳ４）。具体的には、接続ポートでの挿抜チェックや、アクティブセンシングの受信状態により接続状態が判定される。通信Ｉ／Ｆ２１５が音響パラメータ変更装置１に接続されていない場合、ＣＰＵ２１３は、ステップＳ６に進む。通信Ｉ／Ｆ２１５が音響パラメータ変更装置１に接続されている場合、ＣＰＵ２１３は、ステップＳ２で選択されたキットデータの音響パラメータおよび識別情報を含む編集データを生成し、生成された編集データを通信Ｉ／Ｆ２１５を介して音響パラメータ変更装置１に送信し（ステップＳ５）、ステップＳ６に進む。ステップＳ５において、編集データの音響パラメータおよび識別情報は、同時に送信されてもよいし、順に送信されてもよい。例えば、キットデータの番号等の識別情報がプログラム・チェンジで送信された後に、音響パラメータがバルクダンプで送信されてもよい。
【００４３】
ステップＳ６において、ＣＰＵ２１３は、音響パラメータを変更するための操作が検出回路２０５によって検出されたか否かを判定する。音響パラメータを変更するための操作が検出されない場合、ＣＰＵ２１３は、ステップＳ８に進む。音響パラメータを変更するための操作が検出された場合、ＣＰＵ２１３は、検出された操作に基づいて、表示部２０３に表示される該当の音響パラメータを変更し、かつ記憶装置２１４に記憶される該当の音響パラメータを変更し（ステップＳ７）、ステップＳ８に進む。
【００４４】
ステップＳ８において、ＣＰＵ２１３は、ステップＳ２，Ｓ６での操作を除く他の操作が検出回路２０４，２０５によって検出されたか否かを判定する。他の操作が検出されない場合、ＣＰＵ２１３は、図７のステップＳ１０に進む。他の操作が検出された場合、ＣＰＵ２１３は、ステップＳ８で検出された操作に対応する処理を行い（ステップＳ９）、図７のステップＳ１０に進む。
【００４５】
図７のステップＳ１０において、ＣＰＵ２１３は、通信Ｉ／Ｆ２１５が音響パラメータ変更装置１に接続されているか否かを判定する。通信Ｉ／Ｆ２１５が音響パラメータ変更装置１に接続されていない場合、ＣＰＵ２１３は、図６のステップＳ１に戻る。通信Ｉ／Ｆ２１５が音響パラメータ変更装置１に接続されている場合、ＣＰＵ２１３は、音響パラメータ変更装置１からの要求信号が受信されたか否かを判定する（ステップＳ１１）。要求信号が受信されていない場合、ＣＰＵ２１３は、ステップＳ１３に進む。要求信号が受信された場合、ＣＰＵ２１３は、電子楽器２においてその時点で選択されているキットデータの音響パラメータおよび識別情報を含む編集データを生成し、生成された編集データを通信Ｉ／Ｆ２１５を介して音響パラメータ変更装置１に送信し（ステップＳ１２）、ステップＳ１３に進む。上記のステップ５と同様に、ステップＳ１２において、編集データの音響パラメータおよび識別情報は、同時に送信されてもよいし、順に送信されてもよい。
【００４６】
ステップＳ１３において、ＣＰＵ２１３は、音響パラメータ変更装置１からの更新データが受信されたか否かを判定する。更新データが受信されていない場合、ＣＰＵ２１３は、ステップＳ１に戻る。更新データが受信された場合、ＣＰＵ２１３は、受信された更新データに基づいて、記憶装置２１４に記憶された該当の音響パラメータを変更する（ステップＳ１４）。この場合、更新データに含まれる識別情報に基づいて、記憶装置２１４に記憶される複数のキットデータのうち、更新データと対応するキットデータが特定される。そのキットデータに含まれる音響パラメータのうち、更新データに含まれる変更対象パラメータのみが変更され、他の音響パラメータは変更されない。
【００４７】
次に、ＣＰＵ２１３は、受信された更新データに含まれる識別情報が、その時点で表示部２０３に表示されているキットデータの識別情報と一致するか否かを判定する（ステップＳ１５）。識別情報が一致しない場合、ＣＰＵ２１３は、ステップＳ１に戻る。識別情報が一致する場合、ＣＰＵ２１３は、ステップＳ１４における変更後の音響パラメータに基づいて、表示部２０３に表示される音響パラメータを変更し（ステップＳ１６）、ステップＳ１に戻る。ステップＳ１において、電源がオフされると、ＣＰＵ２１３は処理を終了する。
【００４８】
（５）音響パラメータ変更処理
図２の音響パラメータ変更装置１において、ＣＰＵ１１３がＲＯＭ１１２または記憶装置１１４に記憶される音響パラメータ変更プログラムを実行することにより音響パラメータ変更処理が行われる。音響パラメータ変更処理は、記憶処理および編集処理を含む。図８は、記憶処理を示すフローチャートであり、図９は、編集処理を示すフローチャートである。
【００４９】
図８の記憶処理において、まず、ＣＰＵ１１３は、通信Ｉ／Ｆ１１５が電子楽器２と接続されているか否かを判定する（ステップＳ２１）。接続状態の判定には、例えばアクティブセンシングの受信状態を確認するとよい。通信Ｉ／Ｆ１１５が電子楽器２と接続されていない場合、ＣＰＵ１１３は記憶処理を終了する。通信Ｉ／Ｆ１１５が電子楽器２と接続されている場合、ＣＰＵ１１３は、電子楽器２からの編集データが受信されたか否かを判定する（ステップＳ２２）。編集データが受信されていない場合、ＣＰＵ１１３は、記憶処理を終了する。
【００５０】
編集データが受信された場合、ＣＰＵ１１３は、受信された編集データと同一の識別情報を有する編集データが記憶装置１１４に記憶されているか否かを判定する（ステップＳ２３）。ステップＳ２２で受信された編集データと、過去に受信された編集データとが同じキットデータに対応する場合、ステップＳ２３において、受信された編集データと同一の識別情報を有する編集データが記憶装置１１４に記憶されていると判定される。同一の識別情報を有する編集データが記憶装置１１４に記憶されている場合、ＣＰＵ１１３は、ステップＳ２５に進む。同一の識別情報を有する編集データが記憶装置１１４に記憶されていない場合、ＣＰＵ１１３は、受信された編集データを記憶するための領域を記憶装置１１４に確保し（ステップＳ２４）、ステップＳ２５に進む。
【００５１】
ステップＳ２５において、ＣＰＵ１１３は、受信された編集データを記憶装置１１４の該当の領域に記憶し、記憶処理を終了する。具体的には、ステップＳ２３で同一の識別情報を有する編集データが記憶されている場合、その編集データに含まれる音響パラメータが更新される。一方、ステップＳ２３で同一の識別情報を有する編集データが記憶されていない場合、ステップＳ２４で確保された記憶装置２１４の領域に受信された編集データが記憶される。
【００５２】
図９の編集処理において、まず、ＣＰＵ１１３は、編集すべきキットデータを選択するための操作が検出回路１０２によって検出されたか否かを判定する（ステップＳ３１）。例えば、記憶装置１１４に記憶される編集データ内の識別情報に基づいて、編集可能なキットデータの一覧がタッチパネルディスプレイ１０１に表示される。ユーザは、タッチパネルディスプレイ１０１を操作することにより、表示された一覧から編集すべきキットデータを選択する。
【００５３】
キットデータを選択するための操作が検出されない場合、ＣＰＵ１１３は、ステップＳ３１を繰り返す。キットデータを選択するための操作が検出された場合、ＣＰＵ１１３は、記憶装置１１４に記憶される編集データに基づいて、選択されたキットデータに対応するパラメータ変更画面をタッチパネルディスプレイ１０１に表示する（ステップＳ３２）。
【００５４】
次に、ＣＰＵ１１３は、変更対象パラメータを変更するための操作が検出回路１０２によって検出されたか否かを判定する（ステップＳ３３）。変更対象パラメータを変更するための操作は、パラメータ変更画面上で行われる。変更対象パラメータを変更するための操作が検出されない場合、ＣＰＵ１１３は、ステップＳ３３を繰り返す。変更対象パラメータを変更するための操作が検出された場合、ＣＰＵ１１３は、通信Ｉ／Ｆ１１５が電子楽器２に接続されているか否かを判定する（ステップＳ３４）。通信Ｉ／Ｆ１１５が電子楽器２に接続されていない場合、ＣＰＵ１１３は、ステップＳ３７に進む。通信Ｉ／Ｆ１１５が電子楽器２に接続されている場合、ＣＰＵ１１３は、変更後の変更対象パラメータを含む更新データを電子楽器２に送信するか否かを判定する（ステップＳ３５）。例えば、更新データを送信すべきか否かを指定するためのボタンがタッチパネルディスプレイ１０１に表示され、そのボタンの操作に基づいて、ステップＳ３５の判定が行われる。
【００５５】
更新データを電子楽器２に送信しない場合、ＣＰＵ１１３は、ステップＳ３７に進む。更新データを電子楽器２に送信する場合、ＣＰＵ１１３は、ステップＳ３３で検出された操作、および記憶装置１１４に記憶される編集データ内の識別情報に基づいて、変更後の変更対象パラメータおよび識別情報を含む更新データを生成し、生成された更新データを通信Ｉ／Ｆ２１５を介して電子楽器２に送信し（ステップＳ３６）、ステップＳ３７に進む。ステップＳ３６において、更新データの変更対象パラメータおよび識別情報は、同時に送信されてもよいし、順に送信されてもよい。例えば、識別情報がプログラム・チェンジで送信された後に、変更対象パラメータがバルクダンプで送信されてもよい。
【００５６】
ステップＳ３７において、ＣＰＵ１１３は、変更後の変更対象パラメータを保存するか否かを判定する。例えば、変更対象パラメータを保存すべきか否かを指定するためのボタンがタッチパネルディスプレイ１０１に表示され、そのボタンの操作に基づいて、ステップＳ３７の判定が行われる。変更対象パラメータを保存しない場合、ＣＰＵ１１３は、ステップＳ３９に進む。変更後の変更対象パラメータを保存する場合、ＣＰＵ１１３は、ステップＳ３３で検出された操作に基づいて、記憶装置１１４に記憶される該当の変更対象パラメータを変更する（ステップＳ３８）。
【００５７】
次に、ＣＰＵ１１３は、他のキットデータを編集するか否かを判定する（ステップＳ３９）。例えば、他のキットデータを編集するか否かを指定するためのボタンがタッチパネルディスプレイ１０１に表示され、そのボタンの操作に基づいて、ステップＳ３９の判定が行われる。他のキットデータを編集する場合、ＣＰＵ１１３は、ステップＳ３１に戻る。他のキットデータを編集しない場合、ＣＰＵ１１３は、編集処理を終了する。
【００５８】
（６）実施の形態の効果
本実施の形態に係る音響パラメータ変更装置１においては、キットデータに含まれる変更対象パラメータを変更するための操作が検出されると、記憶装置１１４に記憶された該当の変更対象パラメータが変更される。変更後の変更対象パラメータが音響パラメータ変更装置１から電子楽器２に送信されると、電子楽器２の記憶装置２１４に記憶される該当の変更対象パラメータが変更される。それにより、ユーザは、音響パラメータ変更装置１を用いて、電子楽器２に記憶される各キットデータの変更対象パラメータを変更することができる。
【００５９】
また、音響パラメータ変更装置１においては、電子楽器２において変更可能な音響パラメータのうち変更対象パラメータのみが変更可能である。そのため、ユーザは、変更対象外パラメータを意識する必要がないので、音響パラメータに関する種々の知識および煩雑な操作を要することなく、電子楽器２に設定される音響パラメータを容易に変更することができる。変更対象外パラメータに関しては、音響パラメータ変更装置１によって変更されることなく、電子楽器２での調整が維持される。
【００６０】
また、電子楽器２においてキットデータが選択されると、選択されたキットデータに含まれる音響パラメータおよび識別情報が編集データとして電子楽器２から音響パラメータ変更装置１に送信される。さらに、音響パラメータ変更装置１から電子楽器２に要求信号が送信されると、電子楽器２においてその時点で選択されているキットデータに含まれる音響パラメータおよび識別情報が編集データとして音響パラメータ変更装置１に送信される。これにより、電子楽器２に記憶される各キットデータの変更対象パラメータを記憶装置１１４に容易に記憶させることができる。
【００６１】
また、音響パラメータ変更装置１と電子楽器２とが接続されている場合には、音響パラメータ変更装置１において変更対象パラメータを変更した際に、変更後の変更対象パラメータを識別情報とともに電子楽器２に送信することができる。これにより、リアルタイムで電子楽器２に記憶される変更対象パラメータを変更することができる。
【００６２】
（７）他の実施の形態
上記実施の形態では、電子楽器２のキットデータに含まれる変更対象パラメータが音響パラメータ変更装置１により変更可能であるが、本発明はこれに限らない。他の音楽コンテンツデータに含まれる変更対象パラメータが音響パラメータ変更装置１により変更可能であってもよい。
【００６３】
電子楽器２がキーボード型のシンセサイザーである場合、例えば、複数のパートについての音色、アルペジオパターンデータ、およびアルペジオ演奏のオンオフ切替情報を表すパフォーマンスデータと呼ばれる音楽コンテンツデータが電子楽器２の記憶装置２１４に記憶され、そのパフォーマンスデータに含まれる変更対象パラメータが音響パラメータ変更装置１により変更可能であってもよい。パフォーマンスデータは、変更対象パラメータとして、例えば音色パラメータおよびオンオフ切替情報を表すパラメータ（以下、演奏切替パラメータと呼ぶ）を含み、変更対象外パラメータとして、例えば各パートまたは音色に対応付けられたアルペジオパターンデータに関するパラメータおよびエフェクトに関するパラメータ等を含む。
【００６４】
図２のタッチパネルディスプレイ１０１には、図１０のようなパフォーマンスデータに含まれる変更対象パラメータを変更するためのパラメータ変更画面が表示される。図１０のパラメータ変更画面３０ａには、４つのパートについて、音色パラメータおよび演奏切替パラメータが表示される。演奏切替パラメータとして、アルペジオ演奏がオンである場合には、電子楽器２の演奏操作子２０１（本例では、鍵盤）の操作時に、対応する音色のアルペジオパターンが発せられる。ユーザは、タッチパネルディスプレイ１０１を操作し、電子楽器２に記憶される各パフォーマンスデータの音色パラメータおよび演奏切替パラメータを変更することができる。
【００６５】
また、電子楽器２が電子ピアノである場合、伴奏スタイルデータと呼ばれる音楽コンテンツデータが電子楽器２の記憶装置２１４に記憶され、その伴奏スタイルデータに含まれる変更対象パラメータが音響パラメータ変更装置１により変更可能であってもよい。伴奏スタイルデータは、変更対象パラメータとして、例えば複数の伴奏パートについての音色パラメータを含み、変更対象外パラメータとして、例えば各伴奏パートの伴奏パターンに関するパラメータ、およびエフェクトに関するパラメータ等を含む。
【００６６】
また、他の音響機器の音響パラメータが音響パラメータ変更装置１により変更可能であってもよい。例えば、音楽プレーヤーに音楽コンテンツデータである楽曲データが記憶され、その楽曲データに含まれる変更対象パラメータ（例えば、音量、テンポまたはリピート回数等）が音響パラメータ変更装置１により変更可能であってもよい。
【００６７】
音響パラメータ変更装置１においては、タッチパネルディスプレイ１０１の代わりに、液晶表示装置等の表示部、およびマウスおよびキーボード等の操作部が別個に設けられてもよい。また、タッチパネルディスプレイ１０１または他の表示部が設けられることなく、スイッチ、ロータリエンコーダまたはリニアエンコーダ等の操作子の操作によって音響パラメータを変更可能に音響パラメータ変更装置１が構成されてもよい。
【００６８】
（８）請求項の各構成要素と実施の形態の各部との対応
以下、請求項の各構成要素と実施の形態の各部との対応の例について説明するが、本発明は下記の例に限定されない。請求項の各構成要素として、請求項に記載されている構成または機能を有する他の種々の要素を用いることができる。
【００６９】
上記実施の形態では、変更対象パラメータが第１のパラメータの例であり、変更対象外パラメータが第２のパラメータの例であり、記憶部１１が記憶手段の例であり、選択部１２が選択手段の例であり、変更部１４が変更手段の例であり、接続判定部１５が接続判定手段の例であり、受信部１６が受信手段の例であり、送信部１７が送信手段の例であり、要求部１８が要求手段の例である。
【産業上の利用可能性】
【００７０】
本発明は、音響機器の音響パラメータを変更するために利用することができる。
【符号の説明】
【００７１】
１…音響パラメータ変更装置、２…電子楽器、１１…記憶部、１２…選択部、１３…操作検出部、１４…変更部、１５…接続判定部、１６…受信部、１７…送信部、１８…要求部、１０１…タッチパネルディスプレイ、１０２，２０４，２０５…検出回路、１０３，２０６…表示回路、１１１，２１１…ＲＡＭ、１１２，２１２…ＲＯＭ、１１３，２１３…ＣＰＵ、１１４，２１４…記憶装置、１１５，２１５…通信Ｉ／Ｆ、２０１…演奏操作子、２０２…設定操作子、２０３…表示部、２２１…音源、２２２…効果回路、２２３…サウンドシステム、ＰＤ…パッド
【図１】
2016118626.tif 000003
【図２】
2016118626.tif 000004
【図３】
2016118626.tif 000005
【図４】
2016118626.tif 000006
【図５】
2016118626.tif 000007
【図６】
2016118626.tif 000008
【図７】
2016118626.tif 000009
【図８】
2016118626.tif 000010
【図９】
2016118626.tif 000011
【図１０】
2016118626.tif 000012